(57)【要約】【課題】複数の単語又はイメージを順次に格納することによってスマートクリップボードの便利性を向上させるクリップボード提供装置及びその方法を提供する。【解決手段】本発明によるクリップボード提供装置は、携帯端末機におけるクリップボードを提供する装置であって、ディスプレイ部と、アプリケーションが実行され、文字入力ウィンドウが表示されると判断された場合に、スマートクリップボードを活性化する制御部とを有する。【選択図】      図２
2013149255.tif 000002
【特許請求の範囲】
【請求項１】
携帯端末機におけるクリップボードを提供する装置であって、
ディスプレイ部と、
アプリケーションが実行され、文字入力ウィンドウが表示されると判断された場合に、スマートクリップボードを活性化する制御部とを有することを特徴とするクリップボード提供装置。
【請求項２】
前記スマートクリップボードは、単語又はイメージの少なくとも一つを格納することを特徴とする請求項１に記載のクリップボード提供装置。
【請求項３】
前記制御部は、前記スマートクリップボードが活性化された場合、前記スマートクリップボードの活性化を示す表示を前記ディスプレイ部に出力し、
前記表示は、シンボル、アイコン、及びウィジェットの内の少なくとも一つであることを特徴とする請求項１に記載のクリップボード提供装置。
【請求項４】
前記制御部は、ユーザーからの前記スマートクリップボードのオープン要求が受信されると、前記ディスプレイ部の画面の特定領域に予め格納された単語又はイメージの少なくとも一つを含むスマートクリップボードを出力することを特徴とする請求項１に記載のクリップボード提供装置。
【請求項５】
前記制御部は、キーパッドが表示されると判断された場合、前記画面の特定領域に予め格納された単語又はイメージの少なくとも一つを含む前記スマートクリップボードを出力することを特徴とする請求項１に記載のクリップボード提供装置。
【請求項６】
前記制御部は、前記予め格納された単語又はイメージの少なくとも一つが選択された時、前記文字入力ウィンドウに前記選択された単語又はイメージを表示することを特徴とする請求項５に記載のクリップボード提供装置。
【請求項７】
ディスプレイ部を有する携帯端末機におけるクリップボードを提供する方法であって、
アプリケーションが実行されると、前記実行されたアプリケーションに対する前記ディスプレイ部の画面データを分析するステップと、
文字入力ウィンドウが表示されると判断された場合、スマートクリップボードを活性化するステップとを有することを特徴とするクリップボード提供方法。
【請求項８】
前記スマートクリップボードは、単語又はイメージの少なくとも一つを格納することを特徴とする請求項７に記載のクリップボード提供方法。
【請求項９】
前記スマートクリップボードの活性化を示す表示を前記ディスプレイ部に出力するステップをさらに有し、
前記表示は、シンボル、アイコン、及びウィジェットの内の少なくとも一つであることを特徴とする請求項７に記載のクリップボード提供方法。
【請求項１０】
前記スマートクリップボードのオープン要求を受信すると、予め格納された単語又はイメージの少なくとも一つを含む前記スマートクリップボードを出力するステップをさらに有することを特徴とする請求項７に記載のクリップボード提供方法。
【請求項１１】
キーパッドが表示されると判断された場合、前記スマートクリップボードを活性化するステップと、
前記画面の特定領域に予め格納された単語又はイメージの少なくとも一つを含むスマートクリップボードを出力するステップとをさらに有することを特徴とする請求項７に記載のクリップボード提供方法。
【請求項１２】
前記格納された単語又はイメージの少なくとも一つが選択された場合、前記文字入力ウィンドウに前記選択された単語又はイメージを表示するステップをさらに有することを特徴とする請求項１１に記載のクリップボード提供方法。
【発明の詳細な説明】
【技術分野】
【０００１】
本発明は携帯端末機に関し、特に携帯端末機におけるクリップボード（ｃｌｉｐｂｏａｒｄ）機能を提供する装置及びその方法に関する。
【背景技術】
【０００２】
一般的に、携帯端末機ではクリップボード機能をサポートしてユーザーが希望する単語又は文章をコピー及び／又は張り付けをすることができる。
【０００３】
携帯端末機がクリップボード機能を用いて他の単語や文章を格納する場合、以前に格納されている単語又は文章は、削除されてユーザーに不便さを与えるという問題点があった。
【先行技術文献】
【特許文献】
【０００４】
【特許文献１】韓国公開特許第２００７−００９９８２４号公報
【発明の概要】
【発明が解決しようとする課題】
【０００５】
本発明は上記従来の携帯端末機のクリップボード機能における問題点に鑑みてなされたものであって、本発明の目的は、複数の単語又はイメージを順次に格納することによってスマートクリップボードの便利性を向上させるクリップボード提供装置及びその方法を提供することにある。
本発明の他の目的は、指定された単語又はイメージを表示することによってスマートクリップボードの便利性を向上させるクリップボード提供装置及びその方法を提供することにある。
また、本発明の目的は、スマートクリップボードを自動で活性化することによってスマートクリップボードの便利性を向上させるクリップボード提供装置及びその方法を提供することにある。
さらに、本発明の目的は、スマートクリップボードウィンドウを自動で表示することによってスマートクリップボードの便利性を向上させるクリップボード提供装置及びその方法を提供することにある。
【課題を解決するための手段】
【０００６】
上記目的を達成するためになされた本発明によるクリップボード提供装置は、携帯端末機におけるクリップボードを提供する装置であって、ディスプレイ部と、アプリケーションが実行され、文字入力ウィンドウが表示されると判断された場合に、スマートクリップボードを活性化する制御部とを有することを特徴とする。
【０００７】
前記スマートクリップボードは、単語又はイメージの少なくとも一つを格納することが好ましい。
前記制御部は、前記スマートクリップボードが活性化された場合、前記スマートクリップボードの活性化を示す表示を前記ディスプレイ部に出力し、前記表示は、シンボル、アイコン、及びウィジェットの内の少なくとも一つであることが好ましい。
前記制御部は、ユーザーからの前記スマートクリップボードのオープン要求が受信されると、前記ディスプレイ部の画面の特定領域に予め格納された単語又はイメージの少なくとも一つを含むスマートクリップボードを出力することが好ましい。
前記制御部は、キーパッドが表示されると判断された場合、前記画面の特定領域に予め格納された単語又はイメージの少なくとも一つを含む前記スマートクリップボードを出力することが好ましい。
前記制御部は、前記予め格納された単語又はイメージの少なくとも一つが選択された時、前記文字入力ウィンドウに前記選択された単語又はイメージを表示することが好ましい。
【０００８】
上記目的を達成するためになされた本発明によるクリップボード提供方法は、ディスプレイ部を有する携帯端末機におけるクリップボードを提供する方法であって、アプリケーションが実行されると、前記実行されたアプリケーションに対する前記ディスプレイ部の画面データを分析するステップと、文字入力ウィンドウが表示されると判断された場合、スマートクリップボードを活性化するステップとを有することを特徴とする。
【０００９】
前記スマートクリップボードは、単語又はイメージの少なくとも一つを格納することが好ましい。
前記スマートクリップボードの活性化を示す表示を前記ディスプレイ部に出力するステップをさらに有し、前記表示は、シンボル、アイコン、及びウィジェットの内の少なくとも一つであることが好ましい。
前記スマートクリップボードのオープン要求を受信すると、予め格納された単語又はイメージの少なくとも一つを含む前記スマートクリップボードを出力するステップをさらに有することが好ましい。
キーパッドが表示されると判断された場合、前記スマートクリップボードを活性化するステップと、前記画面の特定領域に予め格納された単語又はイメージの少なくとも一つを含むスマートクリップボードを出力するステップとをさらに有することが好ましい。
前記格納された単語又はイメージの少なくとも一つが選択された場合、前記文字入力ウィンドウに前記選択された単語又はイメージを表示するステップをさらに有することが好ましい。
【発明の効果】
【００１０】
本発明に係るクリップボード提供装置及びその方法によれば、複数の単語又はイメージを順次に格納することによってスマートクリップボードの便利性を高めるという効果がある。
また、予め指定されている単語又はイメージを表示することによってスマートクリップボードの便利性を高めるという効果がある。
さらに、スマートクリップボードを自動で活性化することによってスマートクリップボードの便利性を高めるという効果がある。
さらに、スマートクリップボードウィンドウを自動で表示することによってスマートクリップボードの便利さを向上させるという効果がある。
【図面の簡単な説明】
【００１１】
【図１】本発明の実施形態による携帯端末機の構成を示すブロック図である。
【図２】本発明の第１の実施形態による携帯端末機のクリップボードを提供するプロセスを説明するためのフローチャートである。
【図３】本発明の第２の実施形態による携帯端末機のクリップボードを提供するプロセスを説明するためのフローチャートである。
【図４】本発明の第１の実施形態によるクリップボードを提供する画面を示す図である。
【図５】本発明の第２の実施形態によるクリップボードを提供する画面を示す図である。
【発明を実施するための形態】
【００１２】
次に、本発明に係るクリップボード提供装置及びその方法を実施するための形態の具体例を図面を参照しながら説明する。
【００１３】
ここで、公知の機能又は構成に関する具体的な説明が本発明の要旨を不明にすると判断される場合、明瞭性と簡潔性のために、その詳細な説明を省略する。
【００１４】
本発明の実施形態による携帯端末機は、画像電話機、携帯電話、スマートフォン、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００端末機、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）端末機、Ｅ−ブック、携帯用コンピュータ（例えば、ノートブックコンピュータ、タブレットコンピュータなど）、及びデジタルカメラを含む携帯可能な電子機器及びデュプレックスシステムを含むことができる。
【００１５】
図１は、本発明の実施形態による携帯端末機の構成を示すブロック図である。
図１を参照すると、携帯端末機は、制御部１０１、ディスプレイ部１０３、キー入力部１０５、メモリ部１０７、ＲＦ（Ｒａｄｉｏ  Ｆｒｅｑｕｅｎｃｙ）部１０９、データ処理部１１１、及びオーディオプロセッサ１１３を含む。
【００１６】
動作において、ＲＦ部１０９は、携帯端末機の無線通信機能を遂行する。
このために、ＲＦ部１０９は、送信される信号の周波数をアップコンバートして増幅する無線送信器と、受信される信号を低雑音増幅して周波数をダウンコンバートする無線受信器を含む。
【００１７】
データ処理部１１１は、送信される信号を符号化及び変調する送信器及び受信される信号を復調及び復号化する受信器を含む。
データ処理部１１１は、モデム（ＭＯＤＥＭ）及びコーデック（ＣＯＤＥＣ）をさらに含むことができる。コーデックは、パケットデータのようなデータ信号を処理するデータコーデックと、音声のようなオーディオ信号を処理するオーディオコーデックを含むことができる。
【００１８】
オーディオプロセッサ１１３は、データ処理部１１１から出力された受信オーディオ信号をスピーカによって再生し、マイクロホンにより発生する送信オーディオ信号をデータ処理部１１１に伝送する。
キー入力部１０５は、数字及び文字情報を入力するためのキー及び各種機能を設定するための機能キーを含む。
【００１９】
ディスプレイ部１０３は、画像信号を画面に表示（ディスプレイ）し、制御部１０１から出力要求されたデータを表示する。
ディスプレイ部１０３が静電容量式又は感圧式のタッチスクリーン方式を含む形で実現される場合、キー入力部１０５は、予め設定された最小限のキーを含むことができる。このディスプレイ部１０３は、タッチスクリーンで実現される場合、キー入力部１０５のキー入力機能の一部を代替することができる。
【００２０】
メモリ部１０７は、プログラムメモリとデータメモリを含む。
プログラムメモリは、携帯端末機の一般的な動作を制御するためのブーティング（ｂｏｏｔｉｎｇ）プログラム及びオペレーションシステム（Ｏｐｅｒａｔｉｎｇ  Ｓｙｓｔｅｍ：ＯＳ）を格納し、データメモリは、携帯端末機の動作中に発生する各種データを格納する。
【００２１】
制御部１０１は、携帯端末機の全体的な動作を制御する。
特に、制御部１０１は、単語とイメージを表示及び格納し、格納された単語とイメージを簡単にコピーできるスマートクリップボードを提供する。
より詳細に説明すれば、制御部１０１は、ディスプレイ部１０３に文字入力ウィンドウが出力される場合にクリップボード機能を提供する第１の方法と、ディスプレイ部１０３にキーパッドが出力される場合にクリップボード機能を提供する第２の方法を実行する。
ここで、使用される‘文字入力ウィンドウ’は、ユーザーが文字を入力できるウィンドウを意味する。
【００２２】
以下、上記第１の方法についてより詳細に説明する。
制御部１０１は、携帯端末機のユーザーにより選択された複数のアプリケーションの中から特定アプリケーションを実行する。
制御部１０１は、特定アプリケーションの実行に応答してディスプレイ部１０３に出力される画面データを分析することにより、どのようなウィンドウがディスプレイ部１０３に出力されたかを判断する。
【００２３】
文字入力ウィンドウが表示されたと判断された場合、制御部１０１は、スマートクリップボードを自動的に活性化し、ディスプレイ部１０３にスマートクリップボードが活性化されることを示す表示を行う。
スマートクリップボードの活性化を示す表示は、シンボル、アイコン、ウィジェットなどである。例えば、制御部１０１は、スマートクリップボードの活性化を示すためにディスプレイ部１０３の右側に矢印を表示できる。
【００２４】
その後、制御部１０１は、ディスプレイ部１０３にユーザーのタッチモーション（ｔｏｕｃｈ  ｍｏｔｉｏｎ）を感知し、感知したユーザーのタッチモーションがスマートクリップボードオープン要求に対応するか否かを判定する。
例えば、スマートクリップボードの活性化を示す矢印がディスプレイ部１０３に出力されている場合、スマートクリップボードオープン要求を表すタッチモーションは、ディスプレイ部１０３に矢印が表示される領域をクリック（ｃｌｉｃｋ）するモーションとなり得る。
【００２５】
ユーザーのタッチモーションがスマートクリップボードオープン要求に対応する場合、制御部１０１は、ディスプレイ部１０３にスマートクリップボードに予め格納された単語又はイメージを含むスマートクリップボードウィンドウを出力する。
ここで、制御部１０１は、ディスプレイ部１０３の右側又は左側（あるいは上側又は下側）で特定領域を占めるスマートクリップボードウィンドウを出力できる。
【００２６】
一方、ユーザーのタッチモーションがスマートクリップボードオープン要求に対応しない場合、制御部１０１は、ユーザーのタッチモーションに対応する携帯端末機の機能を実行する。例えば、実行されたアプリケーションがインターネット検索を実行する検索エンジンアプリケーションである場合、携帯端末機の該当機能は、文字入力ウィンドウに入力される単語に関連したウェブページの検索機能であり得る。
【００２７】
制御部１０１は、ディスプレイ部１０３にユーザーのタッチモーションを感知し、感知されたユーザーのタッチモーションが文字入力ウィンドウのスマートクリップボードに含まれた単語のうちいずれか一つをコピーするための要求に対応するか否かを判定する。
例えば、単語コピー要求を表すユーザーのタッチモーションは、スマートクリップボードウィンドウに含まれた単語のうちいずれか一つを選択し、選択された単語を文字入力ウィンドウにドラッグするモーションであり得る。
【００２８】
ユーザーのタッチモーションが単語コピー要求に対応する場合、制御部１０１は、文字入力ウィンドウに関連した単語を表示する。
例えば、単語‘ＦＭＤ（Ｆｏｏｔ−ａｎｄ−Ｍｏｕｔｈ  Ｄｉｓｅａｓｅ）’、‘安東（Ａｎｄｏｎｇ）’、及び‘湖南地方（Ｓｏｕｔｈｗｅｓｔｅｒｎ  Ｒｅｇｉｏｎ）’がスマートクリップボードウィンドウに含まれ、これら単語のうち‘ＦＭＤ’が文字入力ウィンドウにコピー要求される場合、制御部１０１は、文字入力ウィンドウ内に単語‘ＦＭＤ’を表示する。
【００２９】
一方、ユーザーのタッチモーションが単語コピー要求に対応しない場合、制御部１０１は、ユーザーのタッチモーションがスマートクリップボードに単語を格納するために要求されるか否かを判定する。
例えば、単語格納要求を表すユーザーのタッチモーションは、ユーザーにより選択された単語をスマートクリップボードウィンドウにドラッグするモーションであり得る。
【００３０】
ユーザーのタッチモーションが単語格納要求に該当する場合、制御部１０１は、予め格納された単語又はイメージとともに該当単語をスマートクリップボードに格納し、スマートクリップボードウィンドウに格納された単語を出力する。
例えば、単語‘ＦＭＤ’がユーザーによりスマートクリップボードに格納要求される場合、制御部１０１は、この‘ＦＭＤ’をスマートクリップボードに格納してスマートクリップボードウィンドウに表示する。
【００３１】
一方、ユーザーのタッチモーションが単語格納要求に該当しない場合、制御部１０１は、ユーザーのタッチモーションがスマートクリップボードクローズ要求に該当するか否かを判定する。
例えば、スマートクリップボードクローズ要求を表すユーザーのタッチモーションは、スマートクリップボードウィンドウをダブルクリックするモーションであり得る。
【００３２】
ユーザーのタッチモーションがスマートクリップボードクローズ要求に該当する場合、制御部１０１は、ディスプレイ部１０３に出力されるスマートクリップボードウィンドウを閉じ、スマートクリップボードを不活性化する。
一方、ユーザーのタッチモーションがスマートクリップボードクローズ要求に該当しない場合、制御部１０１は、ユーザーのタッチモーションに対応する携帯端末機の該当機能を遂行する。例えば、実行されたアプリケーションがインターネット検索を実行する検索エンジンアプリケーションである場合、携帯端末機の該当機能は、文字入力ウィンドウに入力される単語に関連したウェブページの検索機能であり得る。
【００３３】
次に、上記第２の方法についてより詳細に説明する。
制御部１０１は、携帯端末機により提供される複数のアプリケーションの中からユーザーにより特定アプリケーションが選択される場合、特定アプリケーションを実行する。
制御部１０１は、特定アプリケーションの実行によりディスプレイ部１０３に出力される画面データを分析することによってディスプレイ部１０３にどのようなウィンドウが表示されたかを判定する。
【００３４】
キーパッドが表示されたと判定される場合、制御部１０１は、スマートクリップボードを自動的に活性化してディスプレイ部１０３にスマートクリップボードに予め格納された単語又はイメージを含むスマートクリップボードウィンドウを出力する。
制御部１０１は、ディスプレイ部１０３の右側又は左側（あるいは上側又は下側）に特定領域を占めるスマートクリップボードウィンドウを出力できる。すなわち、本発明において、制御部１０１は、キーパッドのみを出力する代わりに、キーパッドと文字入力ウィンドウを共に出力することができる。
【００３５】
制御部１０１は、ディスプレイ部１０３にユーザーのタッチモーションを感知し、感知されたユーザーのタッチモーションが文字入力ウィンドウにスマートクリップボードウィンドウに含まれた単語のうちいずれか一つをコピーするための要求に該当するか否かを判定する。
例えば、単語コピー要求を表すユーザーのタッチモーションは、スマートクリップボードウィンドウに含まれた単語のうちいずれか一つを選択し、選択された単語を文字入力ウィンドウにドラッグするモーションであり得る。
【００３６】
ユーザーのタッチモーションが単語コピー要求である場合、制御部１０１は、文字入力ウィンドウに該当単語を表示する。
例えば、スマートクリップボードウィンドウに単語‘ＦＭＤ’、‘安東’、及び‘湖南地方’が含まれ、これら単語のうち‘ＦＭＤ’が文字入力ウィンドウにコピー要求される場合、制御部１０１は、文字入力ウィンドウに‘ＦＭＤ’を表示する。
【００３７】
一方、ユーザーのタッチモーションが単語コピー要求に該当しない場合、制御部１０１は、ユーザーのタッチモーションがスマートクリップボードに単語を格納するための要求に対応するか否かを判定する。
例えば、単語格納要求を表すユーザーのタッチモーションは、ディスプレイ部１０３に表示される単語の中からユーザーにより選択された単語をスマートクリップボードウィンドウにドラッグするモーションであり得る。
【００３８】
ユーザーのタッチモーションが単語格納要求に対応する場合、制御部１０１は、予め格納された単語又はイメージと共にスマートクリップボードに該当単語を格納し、スマートクリップボードウィンドウに格納された単語を出力する。
例えば、ユーザーにより単語‘ＦＭＤ’がスマートクリップボードに格納要求される場合、制御部１０１は、‘ＦＭＤ’をスマートクリップボードに格納し、スマートクリップボードウィンドウに単語‘ＦＭＤ’を表示する。
【００３９】
一方、ユーザーのタッチモーションが単語格納要求でない場合、制御部１０１は、ユーザーのタッチモーションがスマートクリップボードクローズ要求に該当するか否かを判定する。
例えば、スマートクリップボードクローズ要求を表すユーザーのタッチモーションは、スマートクリップボードウィンドウをダブルクリックするモーションであり得る。
【００４０】
ユーザーのタッチモーションがスマートクリップボードクローズ要求である場合、制御部１０１は、ディスプレイ部１０３に出力されたスマートクリップボードウィンドウを閉じ、スマートクリップボードを不活性化する。
一方、ユーザーのタッチモーションがスマートクリップボードクローズ要求でない場合、制御部１０１は、ユーザーのタッチモーションに対応する携帯端末機の該当機能を遂行する。
【００４１】
例えば、ユーザーのタッチモーションがキーパッドに表示されるキーのうちいずれか一つをタッチするモーションである場合、制御部１０１は、文字入力ウィンドウにタッチされたキーに対応する文字を表示する。
もう一つの例では、実行されたアプリケーションがメッセージ作成アプリケーションであり、ユーザーのタッチモーションがメッセージ伝送要求である場合、制御部１０１は、文字入力ウィンドウに出力されるすべての文字を含むメッセージを生成して送信する。
【００４２】
上記第１及び第２の方法において、スマートクリップボードのウインドウが表示された後に、ユーザーにより単語又はイメージがコピー要求される場合、制御部１０１は、スマートクリップボードにコピー要求された単語又はイメージを格納する。
しかしながら、制御部１０１は、異なる方式で単語又はイメージを格納することができる。
【００４３】
より詳細に説明すると、スマートクリップボードのウインドウが表示される前に、ユーザーにより単語又はイメージが要求される場合、制御部１０１は、スマートクリップボードを表示し、表示されたスマートクリップボードにコピー要求されたイメージ又は単語を格納することができる。
【００４４】
図２は、本発明の第１の実施形態による携帯端末機でクリップボードを提供するプロセスを説明するためのフローチャートである。
図２を参照すると、ステップＳ２０１において、携帯端末機は、携帯端末機により提供される複数のアプリケーションの中からユーザーにより特定アプリケーションが選択された場合、特定アプリケーションを実行する。
【００４５】
その後、ステップＳ２０３において、携帯端末機は、特定アプリケーションの実行により出力される画面データを分析することによって、文字入力ウィンドウが表示されたか否かを判定する。
文字入力ウィンドウが表示される場合、携帯端末機は、ステップＳ２０５に進行する。そうでない場合、携帯端末機は、ステップＳ２０３を反復して遂行する。
【００４６】
ステップＳ２０５において、携帯端末機は、スマートクリップボードを活性化し、スマートクリップボードの活性化を示す表示を行う。
例えば、携帯端末機は、スマートクリップボードの活性化を示すためにディスプレイ部１０３の右側に矢印を表示する。
【００４７】
ステップＳ２０７において、携帯端末機は、ユーザーのタッチモーションを感知する。
ステップＳ２０９において、携帯端末機は、ユーザーのタッチモーションがスマートクリップボードオープン要求であるか否かを判定する。
例えば、スマートクリップボードの活性化を示す矢印がディスプレイ部１０３に出力されている場合、スマートクリップボードオープン要求を表すタッチモーションはディスプレイ部１０３で矢印が表示されている領域をクリックするモーションであり得る。
ユーザーのタッチモーションがスマートクリップボードオープン要求である場合、携帯端末機は、ステップＳ２１１に進行する。そうでない場合、携帯端末機は、ステップＳ２１３に進行する。
【００４８】
ステップＳ２１１において、携帯端末機は、ディスプレイ部１０３で、スマートクリップボードに予め格納された単語又はイメージを含むスマートクリップボードのウィンドウを出力する。
携帯端末機は、ディスプレイ部１０３の右側又は左側に特定領域を占めるスマートクリップボードウィンドウを出力する。
【００４９】
ステップＳ２１３において、携帯端末機は、ユーザーのタッチモーションに対応する該当機能を実行する。
例えば、実行されたアプリケーションがインターネット検索を実行する検索エンジンアプリケーションである場合、携帯端末機の該当機能は、文字入力ウィンドウに入力される単語に関連したウェブページの検索機能であり得る。
【００５０】
ステップＳ２１５において、携帯端末機は、ユーザーのタッチモーションを感知する。
ステップＳ２１７において、携帯端末機は、ユーザーのタッチモーションが文字入力ウィンドウに、スマートクリップボードウィンドウに含まれた単語のうちいずれか一つのコピーを要求したか否かを判定する。
例えば、単語コピー要求を表すユーザーのタッチモーションは、スマートクリップボードウィンドウに含まれた単語のうちいずれか一つを選択し、選択された単語を文字入力ウィンドウにドラッグする。
【００５１】
ユーザーのタッチモーションが単語コピー要求である場合、携帯端末機は、ステップＳ２１９に進行する。
そうでない場合には、携帯端末機は、ステップＳ２２１に進行する。
【００５２】
ステップＳ２１９において、携帯端末機は、文字入力ウィンドウに要求された単語を表示する。
例えば、単語‘ＦＭＤ’、‘安東’、及び‘湖南地方’がスマートクリップボードウィンドウに含まれ、これら単語の中で‘ＦＭＤ’が文字入力ウィンドウにコピー要求される場合、携帯端末機は、文字入力ウィンドウに単語‘ＦＭＤ’を表示する。
【００５３】
ステップＳ２２１において、携帯端末機は、ユーザーのタッチモーションがスマートクリップボードに単語の格納を要求したか否かを判定する。
例えば、単語格納要求を示すユーザーのタッチモーションは、ユーザーにより選択された単語をスマートクリップボードのウィンドウにドラッグするモーションである。
ユーザーのタッチモーションが単語格納要求に対応する場合、携帯端末機は、ステップＳ２２３に進行する。そうでない場合、携帯端末機は、ステップＳ２２５に進行する。
【００５４】
ステップＳ２２３において、携帯端末機は、スマートクリップボードに要求された単語を格納し、スマートクリップボードのウィンドウに格納された単語を表示する。
例えば、ユーザーにより、単語‘ＦＭＤ’がスマートクリップボードに格納するように要求される場合、携帯端末機は、単語‘ＦＭＤ’をスマートクリップボードに格納してスマートクリップボードのウィンドウに表示する。
【００５５】
ステップＳ２２５において、携帯端末機は、ユーザーのタッチモーションがスマートクリップボードクローズ要求に対応するか否かを判定する。
例えば、スマートクリップボードクローズ要求を示すユーザーのタッチモーションは、スマートクリップボードのウィンドウをダブルクリックするモーションであり得る。
ユーザーのタッチモーションがスマートクリップボードクローズ要求に対応する場合、携帯端末機は、ステップＳ２２７に進行する。そうでない場合、携帯端末機は、ステップＳ２２９に進行する。
【００５６】
ステップＳ２２７において、携帯端末機は、スマートクリップボードのウィンドウを閉じ、スマートクリップボードを不活性化する。
ステップＳ２２９において、携帯端末機は、ユーザーのタッチモーションに対応する該当機能を遂行する。
例えば、実行されたアプリケーションがインターネット検索を実行する検索エンジンアプリケーションである場合、携帯端末機の該当機能は、文字入力ウィンドウに入力された単語に関連したウェブページの検索機能であることができる。
【００５７】
図３は、本発明の第２の実施形態による携帯端末機でクリップボードを提供するプロセスを説明するためのフローチャートである。
図３を参照すると、ステップＳ３０１において、携帯端末機は、携帯端末機により提供される複数のアプリケーションの中からユーザーにより特定アプリケーションが選択された場合に特定アプリケーションを実行する。
【００５８】
ステップＳ３０３において、携帯端末機は、特定アプリケーションの実行により出力される画面データを分析することによって、キーパッドがディスプレイ部１０３に表示されるか否かを判定する。
キーパッドが表示される場合、携帯端末機は、ステップＳ３０５に進行する。そうでない場合には、携帯端末機は、ステップＳ３０３を繰り返す。携帯端末機は、キーパッドだけを出力することだけでなく、キーパッドと文字入力ウィンドウを共に出力できる。
【００５９】
ステップＳ３０５において、携帯端末機は、スマートクリップボードを活性化し、ディスプレイ部１０３にスマートクリップボードに予め格納された単語又はイメージを含むスマートクリップボードのウィンドウを出力する。
携帯地端末機は、ディスプレイ部１０３の右側又は左側に特定領域を占めるスマートクリップボードのウィンドウを出力できる。
【００６０】
ステップＳ３０７において、携帯端末機は、ディスプレイ部１０３上でユーザーのタッチモーションを感知する。
その後、ステップＳ３０９において、携帯端末機は、感知されたユーザーのタッチモーションが文字入力ウィンドウに、スマートクリップボードのウィンドウに含まれた単語のうちいずれか一つをコピーすることを要求したか否かを判定する。
【００６１】
例えば、単語コピー要求を示すユーザーのタッチモーションは、スマートクリップボードウィンドウに含まれた単語のうちいずれか一つを選択し、選択された単語を文字入力ウィンドウにドラッグするモーションであり得る。
ユーザーのタッチモーションが単語コピー要求に対応する場合、携帯端末機は、ステップＳ３１１に進行する。そうでない場合、携帯端末機は、ステップＳ３１３に進行する。
【００６２】
ステップＳ３１１において、携帯端末機は、文字入力ウィンドウにコピー要求された単語を表示する。
例えば、単語‘ＦＭＤ’、‘安東’、及び‘湖南地方’がスマートクリップボードのウィンドウに含まれ、これら単語の中で単語‘ＦＭＤ’が文字入力ウィンドウにコピー要求される場合、携帯端末機は、文字入力ウィンドウに単語‘ＦＭＤ’を表示する。
【００６３】
ステップＳ３１３において、携帯端末機は、ユーザーのタッチモーションがスマートクリップボードに単語の格納を要求したか否かを判定する。
例えば、単語格納要求を示すユーザーのタッチモーションは、ディスプレイ部１０３に表示される単語の中からユーザーにより選択された単語をスマートクリップボードのウィンドウにドラッグするモーションであり得る。
ユーザーのタッチモーションが単語格納要求される場合、携帯端末機は、ステップＳ３１５に進行する。そうでない場合、携帯端末機は、ステップＳ３１７に進行する。
【００６４】
ステップＳ３１５において、携帯端末機は、スマートクリップボードにユーザーにより選択された該当単語を格納してマートクリップボードのウィンドウに格納された単語を出力する。
例えば、ユーザーにより単語‘ＦＭＤ’がスマートクリップボードに格納要求される場合、携帯端末機は、単語‘ＦＭＤ’をスマートクリップボードに格納してスマートクリップボードのウィンドウに単語‘ＦＭＤ’を表示する。
【００６５】
ステップＳ３１７において、携帯端末機は、ユーザーのタッチモーションがスマートクリップボードクローズ要求に対応するか否かを判定する。
例えば、スマートクリップボードクローズ要求を示すユーザーのタッチモーションは、スマートクリップボードウィンドウをダブルクリックするモーションであることができる。
ユーザーのタッチモーションがスマートクリップボードクローズ要求に対応する場合、携帯端末機は、ステップＳ３１９に進行する。そうでない場合、携帯端末機は、ステップＳ３２１に進行する。
【００６６】
ステップ３１９において、携帯端末機は、ディスプレイ部１０３に出力されたスマートクリップボードのウィンドウを閉じ、スマートクリップボードを不活性化する。
一方、ステップＳ３２１において、携帯端末機は、ユーザーのタッチモーションに対応する携帯端末機の該当機能を遂行する。
【００６７】
例えば、ユーザーのタッチモーションがキーパッドに表示されるキーのうちいずれか一つをタッチしたモーションである場合、携帯端末機は、文字入力ウィンドウにタッチされたキーに対応する文字を表示する。
もう一つの例では、実行されたアプリケーションがメッセージ作成アプリケーションであり、ユーザーのタッチモーションがメッセージ伝送要求に対応する場合、携帯端末機は、文字入力ウィンドウに出力されるすべての文字を含むメッセージを生成して伝送できる。
【００６８】
図２及び図３は、スマートクリップボードのウインドウが表示された後に、ユーザーにより単語又はイメージがコピー要求される場合、携帯端末機がスマートクリップボードに要求された単語又はイメージを格納するプロセスを示す。
しかしながら、携帯端末機は、異なる方式で単語又はイメージを格納することができる。
より詳細に説明すると、スマートクリップボードのウインドウが表示される前に、ユーザーにより単語又はイメージがコピー要求される場合、携帯端末機は、スマートクリップボードを表示し、表示されたスマートクリップボードに要求されたイメージ又は単語を格納することができる。
【００６９】
図４は、本発明の第１の実施形態によりクリップボードを提供する画面を示す。
図４を参照すると、符号４０１は、スマートクリップボードの活性化を示す画面を示し、符号４０７はスマートクリップボードオープン要求が実行される画面を示し、符号４１１は、スマートクリップボードのウインドウが表示される画面を示す。
符号４１５は、ユーザーにより単語コピー要求が実行される画面を示し、符号４２３は、ユーザーによりスマートクリップボードクローズ要求が実行される画面を示し、符号４２７はスマートクリップボードのウィンドウが終了する画面を示す。
【００７０】
動作において、携帯端末機は、インターネット検索エンジンアプリケーション（例えば、Ｎａｖｅｒ（登録商標）  ａｐｐｌｉｃａｔｉｏｎ）が実行される場合、ディスプレイ部１０３に出力される画面データを分析することによって文字入力ウィンドウ４０３が出力されるか否かを判定する。
文字入力ウィンドウ４０３が出力されると判定される場合、携帯端末機は、スマートクリップボード活性化を示す矢印４０５と文字入力ウィンドウ４０３を含む画面４０１を表示する。
クリップボード活性化表示の矢印４０９がユーザーによりタッチされる場合、携帯端末機は、以前に格納された単語を含むスマートクリップボードのウィンドウ４１３を表示する。
【００７１】
図４に示すスマートクリップボードと矢印の方向及び位置は例示であり、このような図に示すもので本発明の範囲を限定するものではない。ディスプレイ部の他の位置に矢印と該当スマートクリップボードが表示され得る。
さらに、本発明では、一つ以上の矢印と一つ以上のスマートクリップボードが携帯端末機内で実現（表示）することができる。
【００７２】
単語‘ＦＭＤ’が‘ＦＭＤ’を含むスマートクリップボードのウィンドウ４１９から文字入力ウィンドウにユーザーによりドラッグされる場合、携帯端末機は、符号４２３で示すように、‘ＦＭＤ’がコピー要求されたと決定して文字入力ウィンドウ４１７に‘ＦＭＤ’を表示する。
その後、スマートクリップボードのウィンドウ４２５がユーザーによりダブルクリックされる場合、携帯端末機は、スマートクリップボードクローズ要求を受信したと決定して、スマートクリップボードウィンドウが終了する画面４２７に表示する。
このように、携帯端末機は、スマートクリップボードを自動的に活性化することによってスマートクリップボードの便利さを向上させる効果を有する。
【００７３】
図５は、本発明の第２の実施形態によりクリップボードを提供する画面を示す。
図５を参照すると、符号５０１は、スマートクリップボードが出力される画面を示し、符号５０５はスマートクリップボードのウィンドウに単語を格納する画面を示し、符号５１１は文字入力ウィンドウに単語をコピーする画面を示す。
符号５１７は、スマートクリップボードクローズ要求が実行される画面を示し、符号５２１は、スマートクリップボードが終了する画面を示す。
【００７４】
メッセージ作成アプリケーションが実行される場合、携帯端末機は、ディスプレイ部１０３に出力される画面データを分析することによってキーパッドが出力されたか否かを判定する。
キーパッドが出力されたと判定される場合、携帯端末機は、以前に格納された単語又はイメージを含むスマートクリップボードのウィンドウ５０３を表示する。
【００７５】
文字入力ウィンドウ５０７に表示された単語‘ＦＭＤ’がスマートクリップボードのウィンドウ５０９にユーザーによりドラッグされる場合、携帯端末機は、単語‘ＦＭＤ’を格納要求されたと判定して、スマートクリップボードのウィンドウ５０９に単語‘ＦＭＤ’を表示する。
【００７６】
図５に示すスマートクリップボードと矢印の方向及び位置は例示であり、このような図に示すもので本発明の範囲を限定するものではない。
ディスプレイ部の他の位置に矢印と該当スマートクリップボードが表示され得る。
さらに、本発明では、一つ以上の矢印と一つ以上のスマートクリップボードが携帯端末機内で実現（表示）することができる。
【００７７】
携帯端末機は、スマートクリップボードのウィンドウ５１５に含まれた単語‘ＦＭＤ’と‘翌日’の中で‘ＦＭＤ’がユーザーにより文字入力ウィンドウ５１３にドラッグされる場合、‘ＦＭＤ’という単語がコピー要求されたと決定し、文字入力ウィンドウ５１３に‘ＦＭＤ’を表示する。
その後、スマートクリップボードのウィンドウ５１９がユーザーによりダブルクリックされる場合、携帯端末機は、スマートクリップボードのウィンドウが終了する画面５２１に表示する。
このように、携帯端末機は、第２の実施形態によりスマートクリップボードのウィンドウを表示してスマートクリップボードの便利性を増加させる。
【００７８】
上記した本発明による携帯端末機におけるクリップボードを提供する方法は、コンピュータ読み取り可能な記録媒体にコンピュータ読み取り可能なコードを記録することで実施することができる。このコンピュータ読み取り可能な記録媒体は、コンピュータシステムによって読み取り可能なデータを格納するデータストレージデバイスとなり得る。
【００７９】
コンピュータ読み取り可能な記録媒体の例としては、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、光ディスク、磁気テープ、フロッピー（登録商標）ディスク、ハードディスク、不揮発性メモリを含み、搬送波（例えば、インターネットを介する伝送）の形態で実現されることも含む。
また、このコンピュータ読み取り可能な記録媒体は、ネットワーク接続されたコンピュータシステムにわたって分散されることによって、コンピュータ読み取り可能なコードは分散形態で格納及び遂行され得る。また、本発明を達成するための機能プログラム、コード、及びコードセグメントは、当該技術分野における熟練されたプログラマにとっては容易に理解できることである。
【００８０】
尚、本発明は、上述の実施例形態に限られるものではない。本発明の技術的範囲から逸脱しない範囲内で多様に変更実施することが可能である。
【符号の説明】
【００８１】
１０１    制御部
１０３    ディスプレイ部
１０５    キー入力部
１０７    メモリ部
１０９    ＲＦ部
１１１    データ処理部
１１３    オーディオプロセッサ
４０３、４１７、５０７、５１３    文字入力ウィンドウ
４１３、４１９、４２５、５０９、５１５、５１９    スマートクリップボードのウィンドウ
【図１】
2013149255.tif 000003
【図２】
2013149255.tif 000004
【図３】
2013149255.tif 000005
【図４】
2013149255.tif 000006
【図５】
2013149255.tif 000007